【手続補正書】
【提出日】平成18年12月4日(2006.12.4)
【手続補正１】
【補正対象書類名】明細書
【補正対象項目名】請求項１
【補正方法】変更
【補正の内容】
【請求項１】  画像を撮像する撮像手段と、
前記撮像手段により撮像される画像データを記憶する記憶手段と、
前記記憶手段における予測残容量を検出する検出手段と、
前記検出手段により検出される前記予測残容量が第１閾値より少ないか否かを判断する第１判断手段と、
前記第１閾値より小さい値である第２閾値より前記予測残容量が少ないか否かを判断する第２判断手段と、
前記第１判断手段及び前記第２判断手段により前記予測残容量が前記第１閾値より少なく前記第２閾値より多いと判断されると撮影動作を第１の制限により制限すると共に、前記予測残容量が前記第２閾値より少ないと判断されると撮影動作を第２の制限により制限する制御手段とを有することを特徴とする撮像装置。
【手続補正２】
【補正対象書類名】明細書
【補正対象項目名】請求項５
【補正方法】変更
【補正の内容】
【請求項５】  自装置の設定に係る内容変更を行う設定手段と、
前記設定手段により変更される設定内容に応じて前記第１閾値及び前記第２閾値のうち少なくとも一つを変更する閾値変更手段とを更に有することを特徴とする請求項１記載の撮像装置。
【手続補正３】
【補正対象書類名】明細書
【補正対象項目名】請求項１１
【補正方法】変更
【補正の内容】
【請求項１１】  画像を撮像する撮像手段により撮像される画像データを記憶する記憶手段における予測残容量を検出する検出ステップと、
前記検出ステップにより検出される前記予測残容量が第１閾値より少ないか否かを判断する第１判断ステップと、
前記第１閾値より小さい値である第２閾値より前記予測残容量が少ないか否かを判断する第２判断ステップと、
前記第１判断ステップ及び前記第２判断ステップにより前記予測残容量が前記第１閾値より少なく前記第２閾値より多いと判断されると撮影動作を第１の制限により制限すると共に、前記予測残容量が前記第２閾値より少ないと判断されると撮影動作を第２の制限により制限する制御ステップとを有することを特徴とする撮像動作制御方法。
【手続補正４】
【補正対象書類名】明細書
【補正対象項目名】請求項１５
【補正方法】変更
【補正の内容】
【請求項１５】  撮像装置の設定に係る内容変更を行う設定ステップと、
前記設定ステップにより変更される設定内容に応じて前記第１閾値及び前記第２閾値のうち少なくとも一つを変更する閾値変更ステップとを更に有することを特徴とする請求項１１記載の撮影動作制御方法。
【手続補正５】
【補正対象書類名】明細書
【補正対象項目名】請求項２１
【補正方法】変更
【補正の内容】
【請求項２１】  請求項１〜１０の何れか１項に記載の撮像装置の各手段としてコンピュータを機能させるためのプログラムを記録したことを特徴とするコンピュータ読み取り可能な記録媒体。
【手続補正６】
【補正対象書類名】明細書
【補正対象項目名】請求項２３
【補正方法】変更
【補正の内容】
【請求項２３】  請求項１〜１０の何れか１項に記載の撮像装置の各手段としてコンピュータを機能させるためのプログラム。
【手続補正７】
【補正対象書類名】明細書
【補正対象項目名】００１３
【補正方法】変更
【補正の内容】
【００１３】
【課題を解決するための手段】
かかる目的を達成するために、請求項１記載の撮像装置は、画像を撮像する撮像手段と、前記撮像手段により撮像される画像データを記憶する記憶手段と、前記記憶手段における予測残容量を検出する検出手段と、前記検出手段により検出される前記予測残容量が第１閾値より少ないか否かを判断する第１判断手段と、前記第１閾値より小さい値である第２閾値より前記予測残容量が少ないか否かを判断する第２判断手段と、前記第１判断手段及び前記第２判断手段により前記予測残容量が前記第１閾値より少なく前記第２閾値より多いと判断されると撮影動作を第１の制限により制限すると共に、前記予測残容量が前記第２閾値より少ないと判断されると撮影動作を第２の制限により制限する制御手段とを有することを特徴とする。
【手続補正８】
【補正対象書類名】明細書
【補正対象項目名】００１７
【補正方法】変更
【補正の内容】
【００１７】
また、請求項５記載の撮像装置は、請求項１記載の発明において、自装置の設定に係る内容変更を行う設定手段と、前記設定手段により変更される設定内容に応じて前記第１閾値及び前記第２閾値のうち少なくとも一つを変更する閾値変更手段とを更に有することを特徴とする。
【手続補正９】
【補正対象書類名】明細書
【補正対象項目名】００２３
【補正方法】変更
【補正の内容】
【００２３】
また、請求項１１記載の撮像動作制御方法は、画像を撮像する撮像手段により撮像される画像データを記憶する記憶手段における予測残容量を検出する検出ステップと、前記検出ステップにより検出される前記予測残容量が第１閾値より少ないか否かを判断する第１判断ステップと、前記第１閾値より小さい値である第２閾値より前記予測残容量が少ないか否かを判断する第２判断ステップと、前記第１判断ステップ及び前記第２判断ステップにより前記予測残容量が前記第１閾値より少なく前記第２閾値より多いと判断されると撮影動作を第１の制限により制限すると共に、前記予測残容量が前記第２閾値より少ないと判断されると撮影動作を第２の制限により制限する制御ステップとを有することを特徴とする。
【手続補正１０】
【補正対象書類名】明細書
【補正対象項目名】００２７
【補正方法】変更
【補正の内容】
【００２７】
また、請求項１５記載の撮像動作制御方法は、請求項１１記載の発明において、撮像装置の設定に係る内容変更を行う設定ステップと、前記設定ステップにより変更される設定内容に応じて前記第１閾値及び前記第２閾値のうち少なくとも一つを変更する閾値変更ステップとを更に有することを特徴とする。
【手続補正１１】
【補正対象書類名】明細書
【補正対象項目名】００３３
【補正方法】変更
【補正の内容】
【００３３】
また、請求項２１記載の記録媒体は、請求項１〜１０の何れか１項に記載の撮像装置の各手段としてコンピュータを機能させるためのプログラムを記録したことを特徴とする。
【手続補正１２】
【補正対象書類名】明細書
【補正対象項目名】００３５
【補正方法】変更
【補正の内容】
【００３５】
また、請求項２３記載のプログラムは、請求項１〜１０の何れか１項に記載の撮像装置の各手段としてコンピュータを機能させることを特徴とする。
【手続補正１３】
【補正対象書類名】明細書
【補正対象項目名】００５６
【補正方法】変更
【補正の内容】
【００５６】
図２は、本発明の第１の実施形態における撮像装置の動作を示したフローチャートである。まず、６４シャッタスイッチＳＷ２がＯＮにより、システム制御回路５０は、メモリ制御回路２２を駆動して撮像素子（撮像手段）１４から得られるアナログデータをＡ／Ｄ変換器を介してデジタルデータに変換し、メモリ制御回路２２を介してメモリ３０に保存する。連続撮影の場合はメモリ３０に多数の画像データが蓄えられる。
【手続補正１４】
【補正対象書類名】明細書
【補正対象項目名】００５７
【補正方法】変更
【補正の内容】
【００５７】
蓄えられた画像データは不揮発性メモリに保存される前に圧縮処理をするために順次読み出される（２０１）。読み出された画像データは圧縮伸張回路３２によって圧縮され（Ｓ２０２）、不揮発性メモリ（記憶手段）２０２に格納されるまで、再びメモリ３０保存される（Ｓ２０３）。この時、不揮発性メモリに保存されるときの画像データサイズが確定するので、当該画像データサイズを加味した不揮発性メモリの残容量（予測残容量）と閾値１および閾値２と比較することができる（Ｓ２０４、２０５）。
【手続補正１５】
【補正対象書類名】明細書
【補正対象項目名】００６３
【補正方法】変更
【補正の内容】
【００６３】
＜第２の実施形態＞
図３は、本発明の第２の実施形態における撮像装置の動作の流れを示したフローチャートである。操作部（設定手段）７０にある撮影画質選択ボタンを操作されたことにより、画像データの圧縮率を変更する（Ｓ３０１）。圧縮率を低く設定すると、画像データ割り当てサイズが大きく変更され、また逆に、圧縮率を高く設定すると、画像データが小さく変更される（Ｓ３０２）。